(57)【要約】【課題】ケーブル本数を削減することで製品のコストダウンを図る。【解決手段】電子機器であって、キー入力受付回路と赤外線受信回路とを搭載した第１基板と、制御部を搭載した第２基板とを備え、第１基板では、キー入力受付回路および赤外線受信回路は共通の電源から電源電圧の供給を受け、キー入力受付回路は、キー入力を受けたときに、電圧値が第１の電圧範囲内である入力信号を第１基板と第２基板とを結ぶ一本の信号線を介して第２基板へ出力することにより制御部に対してキー入力に基づく入力信号を供給し、赤外線受信回路は、赤外線信号を受信したときに、電圧値が、第１の電圧範囲と重複しない第２の電圧範囲内である信号を上記一本の信号線を介して第２基板との間で通信することにより制御部に赤外線信号に基づく入力信号を取得させる。【選択図】図２
2012238995.tif 000002
【特許請求の範囲】
【請求項１】
キー入力を受けるためのキー入力受付回路と、赤外線信号を受信するための赤外線受信回路と、キー入力に基づく入力信号と赤外線信号に基づく入力信号とを取得する制御部と、を備えた電子機器であって、
上記キー入力受付回路と赤外線受信回路とを少なくとも搭載した第１基板と、上記制御部を少なくとも搭載した第２基板とを備え、
上記第１基板では、キー入力受付回路および赤外線受信回路は共通の電源から電源電圧の供給を受け、
上記キー入力受付回路は、キー入力を受けたときに、電圧値が第１の電圧範囲内である入力信号を第１基板と第２基板とを結ぶ一本の信号線を介して第２基板へ出力することにより、制御部に対してキー入力に基づく入力信号を供給し、
上記赤外線受信回路は、赤外線信号を受信したときに、電圧値が、第１の電圧範囲と重複しない第２の電圧範囲内である信号を上記一本の信号線を介して第２基板との間で通信することにより、制御部に赤外線信号に基づく入力信号を取得させる、ことを特徴とする電子機器。
【請求項２】
上記第１基板では、キー入力受付回路へ供給する電源電圧よりも低い電源電圧を赤外線受信回路へ供給し、第２の電圧範囲は第１の電圧範囲よりも低いことを特徴とする請求項１に記載の電子機器。
【請求項３】
上記第２基板は、上記一本の信号線と制御部とを結ぶ第２信号線上に信号を入力する第１抽出回路を備え、第１抽出回路は、入力した信号を対象として第１の電圧範囲の下限より低い電圧をカットし、カット後に残った電圧による入力信号を制御部側へ供給することを特徴とする請求項２に記載の電子機器。
【請求項４】
上記赤外線受信回路は、受信した赤外線信号に基づくパルス信号に従ってスイッチングを行なう第１基板側スイッチ回路を備え、
上記第２基板は、上記一本の信号線と制御部とを結ぶ第３信号線上に第２抽出回路を備え、第２抽出回路は、少なくとも第１の電圧範囲の上限以下の電圧の制御部側への入力を禁止するダイオードを備えるとともに、当該ダイオードと制御部との間に、第１基板側スイッチ回路のスイッチングに連動して第２の電圧範囲内の信号の上記一本の信号線を介した第１基板への送信と非送信とを切り換える第２基板側スイッチ回路を備え、第２基板側スイッチ回路は、当該切り換えに基づいて上記パルス信号に相当する波形の入力信号を発生させ制御部へ供給することを特徴とする請求項２または請求項３に記載の電子機器。
【請求項５】
上記第１基板では、上記制御部によって点灯・消灯が制御される発光ダイオードへの電源電圧を上記共通の電源から供給することを特徴とする請求項１〜請求項４のいずれかに記載の電子機器。
【請求項６】
キー入力を受けるためのキー入力受付回路と、赤外線信号を受信するための赤外線受信回路と、キー入力に基づく入力信号と赤外線信号に基づく入力信号とを取得する制御用ＩＣと、を備えた電子機器であって、
上記キー入力受付回路と、赤外線受信回路と、制御用ＩＣによって点灯・消灯が制御される発光ダイオードとを搭載した第１基板と、
上記キー入力に基づく入力信号を抽出するための第１抽出回路と、赤外線信号に基づく入力信号を抽出するための第２抽出回路と、制御用ＩＣとを搭載した第２基板とを備え、
上記第１基板では、キー入力受付回路、赤外線受信回路および発光ダイオードは共通の電源から電源電圧の供給を受け、
上記キー入力受付回路は、上記電源と第１基板に設けられた第１コネクタとの間において、複数のキー毎の入力回路であって入力回路毎に抵抗値が異なる抵抗とキー入力を受けたときに接点間を導通させるスイッチとを直列接続した各入力回路を並列接続させて構成され、いずれかの入力回路のキーを介してキー入力を受けたときに当該入力回路の抵抗に応じた電圧値であって第１の電圧範囲内である電圧値の入力信号を、第１コネクタと第２基板に設けられた第２コネクタとを結ぶ一本の信号線を介して第２基板へ出力し、
上記赤外線受信回路は、上記電源と第１コネクタとの間においてキー入力受付回路と並列接続され、上記電源と所定の抵抗を介して接続することによりキー入力受付回路へ供給される電源電圧よりも低い電源電圧の供給を受けて稼働する赤外線センサと、赤外線センサからの出力信号ラインとベースを接続させた第１トランジスタと、第１トランジスタのコレクタにベースを接続させた第２トランジスタとを含み、第１トランジスタは赤外線センサが赤外線信号を受信することにより出力する当該赤外線信号に基づくパルス信号に従ってオンとオフとを切り換えるスイッチングを行い、第２トランジスタは第１トランジスタのスイッチングと逆位相でオンとオフとを切り換えるスイッチングを行い、
上記第２基板は、第２コネクタと制御用ＩＣとを結ぶ第２信号線上に信号を入力する上記第１抽出回路を備え、かつ、第２コネクタと制御用ＩＣとを結ぶ第３信号線上に上記第２抽出回路を備え、
上記第１抽出回路は、カソードを第２コネクタ側に接続しアノードを制御用ＩＣ側へ接続したツェナーダイオードであって入力した信号を対象として第１の電圧範囲の下限より低い電圧をカットするツェナーダイオードと、当該ツェナーダイオードのアノード側の電圧を上記キー入力を受けた入力回路が有する抵抗との分圧比に応じて分圧する抵抗とを備え、当該分圧された電圧を上記キー入力に基づく入力信号として制御用ＩＣへ供給し、
上記第２抽出回路は、カソードを第２コネクタ側に接続しアノードを制御用ＩＣ側へ接続したダイオードであって少なくとも第１の電圧範囲の上限以下の電圧の制御用ＩＣ側への入力を禁止するダイオードと、当該ダイオードのアノードにベースを接続させコレクタを第２基板内の所定の電源に接続させ且つベースが当該所定の電源によってプルアップされた第３トランジスタとを備え、第１の電圧範囲と重複せず第１の電圧範囲より低い第２の電圧範囲内の信号の上記一本の信号線を介した第１基板への送信と非送信とを上記第２トランジスタのオン・オフに同期して切り換えることにより、上記第１トランジスタへ出力されるパルス信号に相当する波形の入力信号を発生させ制御用ＩＣへ供給する、
ことを特徴とする電子機器。
【発明の詳細な説明】
【技術分野】
【０００１】
本発明は、外部からキー入力や赤外線信号を受け付け可能な電子機器に関する。
【背景技術】
【０００２】
ユーザが直接操作可能な複数のキーを製品の筐体表面に設け、当該複数のキーを介してキー入力を受け付けたり、外部のリモートコントロール装置（リモコン）から発せられる赤外線信号を受信して、赤外線信号に基づく入力を受け付けたりするテレビジョン等の電子機器がよく知られている（特許文献１〜４参照。）。
【先行技術文献】
【特許文献】
【０００３】
【特許文献１】特開２００２‐３００４８６号公報
【特許文献２】特開２００８‐１８２５６９号公報
【特許文献３】特開２０１０‐５０７８２号公報
【特許文献４】特開平８‐５０５５０号公報
【発明の概要】
【発明が解決しようとする課題】
【０００４】
このような電子機器内部では、キー入力を受けるためのキー入力受付回路と赤外線信号を受信するための赤外線受信回路とがそれぞれ基板に実装されている。また、電子機器内部では、機器全体の制御を司るメインＩＣ（Integrated Circuit）が、別の基板（メイン基板）に実装されている。従来では、これら基板間では、キー入力受付回路とメインＩＣとを接続するための信号線（ケーブル）と赤外線受信回路とメインＩＣとを接続するための信号線（ケーブル）とが別々に設けられていた。また、電子機器では、点灯・消灯によりユーザに製品の状態（例えば電源ＯＮ・ＯＦＦの状態）を通知するための発光ダイオードを備えており、キー入力受付回路、赤外線受信回路、発光ダイオードそれぞれに対し、それらを駆動させるための電源が電源回路から供給されている。ここで、キー入力受付回路や赤外線受信回路と、発光ダイオードとでは、駆動に必要な電圧レベルが異なるため、それぞれ異なる電圧レベルの供給に対応した複数の電源供給ラインが設けられ、これら複数の電源供給ラインから上記各構成に必要な電源電圧が供給されていた。
しかしながら、電子機器製造のコストダウンの観点からは、製品内部に設けられるケーブル等の各ラインをできるだけ減らすことが求められている。
【０００５】
本発明は上記課題を解決するためになされたものであり、構成間を接続するラインをできるだけ減らすことで従来よりもコストを抑制可能な電子機器を提供する。
【課題を解決するための手段】
【０００６】
本発明の態様の一つは、キー入力を受けるためのキー入力受付回路と、赤外線信号を受信するための赤外線受信回路と、キー入力に基づく入力信号と赤外線信号に基づく入力信号とを取得する制御部と、を備えた電子機器であって、上記キー入力受付回路と赤外線受信回路とを少なくとも搭載した第１基板と、上記制御部を少なくとも搭載した第２基板とを備え、上記第１基板では、キー入力受付回路および赤外線受信回路は共通の電源から電源電圧の供給を受け、上記キー入力受付回路は、キー入力を受けたときに、電圧値が第１の電圧範囲内である入力信号を第１基板と第２基板とを結ぶ一本の信号線を介して第２基板へ出力することにより、制御部に対してキー入力に基づく入力信号を供給し、上記赤外線受信回路は、赤外線信号を受信したときに、電圧値が、第１の電圧範囲と重複しない第２の電圧範囲内である信号を上記一本の信号線を介して第２基板との間で通信することにより、制御部に赤外線信号に基づく入力信号を取得させる、構成としてある。
【０００７】
当該構成によれば、キー入力受付回路は制御部との間で電圧値が第１の電圧範囲内である信号を通信し、赤外線受信回路は制御部との間で電圧値が第１の電圧範囲とは重複しない第２の電圧範囲内である信号を通信することで、２つの基板間でキー入力受付回路と制御部とを結ぶ信号線と赤外線受信回路と制御部とを結ぶ信号線とを一本化（共通化）するようにした。これにより、従来あった２本の信号線を１本に削減することによる電子機器のコストダウンが達成される。
【図面の簡単な説明】
【０００８】
【図１】電子機器の概略構成の一例を示す図である。
【図２】第１基板と第２基板とを含む構成を示す図である。
【発明を実施するための形態】
【０００９】
本発明の実施形態として、上記第１基板では、キー入力受付回路へ供給する電源電圧よりも低い電源電圧を赤外線受信回路へ供給し、第２の電圧範囲は第１の電圧範囲よりも低い構成としてもよい。
また、本発明の実施形態として、上記第２基板は、上記一本の信号線と制御部とを結ぶ第２信号線上に信号を入力する第１抽出回路を備え、第１抽出回路は、入力した信号を対象として第１の電圧範囲の下限より低い電圧をカットし、カット後に残った電圧による入力信号を制御部側へ供給する構成としてもよい。
また、本発明の実施形態として、上記赤外線受信回路は、受信した赤外線信号に基づくパルス信号に従ってスイッチングを行なう第１基板側スイッチ回路を備え、上記第２基板は、上記一本の信号線と制御部とを結ぶ第３信号線上に第２抽出回路を備え、第２抽出回路は、少なくとも第１の電圧範囲の上限以下の電圧の制御部側への入力を禁止するダイオードを備えるとともに、当該ダイオードと制御部との間に、第１基板側スイッチ回路のスイッチングに連動して第２の電圧範囲内の信号の上記一本の信号線を介した第１基板への送信と非送信とを切り換える第２基板側スイッチ回路を備え、第２基板側スイッチ回路は、当該切り換えに基づいて上記パルス信号に相当する波形の入力信号を発生させ制御部へ供給する構成としてもよい。
また、本発明の実施形態として、上記第１基板では、上記制御部によって点灯・消灯が制御される発光ダイオードへの電源電圧を上記共通の電源から供給する構成としてもよい。
【００１０】
また、本発明のさらなる詳細な実施形態として、キー入力を受けるためのキー入力受付回路と、赤外線信号を受信するための赤外線受信回路と、キー入力に基づく入力信号と赤外線信号に基づく入力信号とを取得する制御用ＩＣと、を備えた電子機器であって、上記キー入力受付回路と、赤外線受信回路と、制御用ＩＣによって点灯・消灯が制御される発光ダイオードとを搭載した第１基板と、上記キー入力に基づく入力信号を抽出するための第１抽出回路と、赤外線信号に基づく入力信号を抽出するための第２抽出回路と、制御用ＩＣとを搭載した第２基板とを備え、上記第１基板では、キー入力受付回路、赤外線受信回路および発光ダイオードは共通の電源から電源電圧の供給を受け、上記キー入力受付回路は、上記電源と第１基板に設けられた第１コネクタとの間において、複数のキー毎の入力回路であって入力回路毎に抵抗値が異なる抵抗とキー入力を受けたときに接点間を導通させるスイッチとを直列接続した各入力回路を並列接続させて構成され、いずれかの入力回路のキーを介してキー入力を受けたときに当該入力回路の抵抗に応じた電圧値であって第１の電圧範囲内である電圧値の入力信号を、第１コネクタと第２基板に設けられた第２コネクタとを結ぶ一本の信号線を介して第２基板へ出力し、上記赤外線受信回路は、上記電源と第１コネクタとの間においてキー入力受付回路と並列接続され、上記電源と所定の抵抗を介して接続することによりキー入力受付回路へ供給される電源電圧よりも低い電源電圧の供給を受けて稼働する赤外線センサと、赤外線センサからの出力信号ラインとベースを接続させた第１トランジスタと、第１トランジスタのコレクタにベースを接続させた第２トランジスタとを含み、第１トランジスタは赤外線センサが赤外線信号を受信することにより出力する当該赤外線信号に基づくパルス信号に従ってオンとオフとを切り換えるスイッチングを行い、第２トランジスタは第１トランジスタのスイッチングと逆位相でオンとオフとを切り換えるスイッチングを行い、上記第２基板は、第２コネクタと制御用ＩＣとを結ぶ第２信号線上に信号を入力する上記第１抽出回路を備え、かつ、第２コネクタと制御用ＩＣとを結ぶ第３信号線上に上記第２抽出回路を備え、上記第１抽出回路は、カソードを第２コネクタ側に接続しアノードを制御用ＩＣ側へ接続したツェナーダイオードであって入力した信号を対象として第１の電圧範囲の下限より低い電圧をカットするツェナーダイオードと、当該ツェナーダイオードのアノード側の電圧を上記キー入力を受けた入力回路が有する抵抗との分圧比に応じて分圧する抵抗とを備え、当該分圧された電圧を上記キー入力に基づく入力信号として制御用ＩＣへ供給し、上記第２抽出回路は、カソードを第２コネクタ側に接続しアノードを制御用ＩＣ側へ接続したダイオードであって少なくとも第１の電圧範囲の上限以下の電圧の制御用ＩＣ側への入力を禁止するダイオードと、当該ダイオードのアノードにベースを接続させコレクタを第２基板内の所定の電源に接続させ且つベースが当該所定の電源によってプルアップされた第３トランジスタとを備え、第１の電圧範囲と重複せず第１の電圧範囲より低い第２の電圧範囲内の信号の上記一本の信号線を介した第１基板への送信と非送信とを上記第２トランジスタのオン・オフに同期して切り換えることにより、上記第１トランジスタへ出力されるパルス信号に相当する波形の入力信号を発生させ制御用ＩＣへ供給する、構成としてもよい。
上記では、電子機器としての発明を説明したが、電子機器に含まれる上記第１基板と第２基板と両基板を接続する信号線からなる回路構成を一つの発明として抽出することも可能である。
【００１１】
以下、図面を参照しながら本発明の実施形態を説明する。
図１は、本発明が適用される電子機器１０の概略構成の一例を示す図である。電子機器１０は、例えば、液晶テレビジョンである。ただし、本発明が適用される電子機器としては、ユーザによるキー入力を受け付けるための回路とリモコンから発せられる赤外線信号（リモートコントロール信号）を受信するための回路とを備える製品（プレーヤ、レコーダ、モニター等）であればあらゆる製品が該当する。液晶テレビジョンとしての電子機器１０は、本体の動作を制御するメインＩＣ１１（制御部あるいは制御用ＩＣ）と、アンテナ１２で受信されるテレビジョン放送信号から選択されているチャンネルのテレビジョン放送信号を抽出して出力するチューナ１３と、チューナ１３が出力したテレビジョン放送信号に基づく映像を液晶パネル１４に表示させる映像処理部１５と、チューナ１３が出力したテレビジョン放送信号に基づく音声をスピーカ１６から出力する音声処理部１７と、外部のリモコン１８から送信されてきた赤外線信号を受信する赤外線受信回路１９と、ユーザが直接操作可能な複数のキー（ボタン）を電子機器１０の筺体表面の所定位置に設けてユーザからのキー入力を受け付けるキー入力受付回路２１と、各部へ動作電源を供給する電源回路２０と、を備えている。
【００１２】
メインＩＣ１１は、赤外線受信回路１９で受信した赤外線信号や、キー入力受付回路２１で受け付けたキー入力に基づいて、電源オン／オフ、チャンネルの切換え、音量のアップ／ダウン、入力ソース（ＨＤＭＩ入力、ビデオ入力、コンポーネント入力等）の切り換え等を制御する。
【００１３】
図２は、電子機器１０内の構成のうち、主に、赤外線受信回路１９やキー入力受付回路２１等を搭載する第１基板２２（ＩＲ・ＫＥＹ基板）と、メインＩＣ１１等を搭載する第２基板２３（メイン基板）とを含む構成を示している。第１基板２２は、コネクタ２２ａ（第１コネクタ）を備え、第２基板２３はコネクタ２３ａ（第２コネクタ）を備え、コネクタ２２ａとコネクタ２３ａとの間は一本の信号線（ケーブル２４）により接続されている。
【００１４】
第１基板２２は、上記構成の他、発光ダイオードＤ１および発光ダイオードＤ１の点灯・消灯を制御するためのＬＥＤ制御部２２ｂを備える。発光ダイオードＤ１は、例えば白色ＬＥＤである。第１基板２２に対しては、電源回路２０（図１）から所定レベル（本実施形態では＋７Ｖ）の電源Ｖｃｃが供給されており、キー入力受付回路２１、赤外線受信回路１９および発光ダイオードＤ１は全て、当該共通の電源Ｖｃｃから電源電圧の供給を受けて駆動するようになっている。
【００１５】
発光ダイオードＤ１は、上記共通の電源Ｖｃｃに対してアノードを接続させ、ＬＥＤ制御部２２ｂは、発光ダイオードＤ１のカソードに対して抵抗Ｒ１１を介在させて接続している。ＬＥＤ制御部２２ｂはメインＩＣ１１と接続しており、メインＩＣ１１が出力端子１１ｃから出力する所定のハイ（Ｈ）レベルまたはロー（Ｌ）レベルの制御信号を受けて発光ダイオードＤ１を制御する。具体的には、メインＩＣ１１からＨレベルの制御信号を受信したときは発光ダイオードＤ１のアノード‐カソード間を通電させず発光ダイオードＤ１を消灯状態とし、メインＩＣ１１からＬレベルの制御信号を受信したときは発光ダイオードＤ１を通電させて発光ダイオードＤ１を点灯状態とする。従って、発光ダイオードＤ１は、メインＩＣ１１によって点灯・消灯が制御されるとも言える。発光ダイオードＤ１は、例えば、点灯することで電子機器１０が電源オン状態であることを外部に示し、消灯することで電子機器１０が電源オフ（スタンバイモード）であることを外部に示す。
【００１６】
キー入力受付回路２１は、上記共通の電源Ｖｃｃとコネクタ２２ａとの間において、複数のキー毎の入力回路であって、入力回路毎に抵抗値が異なる抵抗とキー入力を受けたときに接点間を導通させるスイッチとを直列接続した各入力回路を並列接続させて構成されている。図２の例では、抵抗Ｒ１およびスイッチＳＷ１からなる入力回路、抵抗Ｒ２およびスイッチＳＷ２からなる入力回路、抵抗Ｒ３およびスイッチＳＷ３からなる入力回路、抵抗Ｒ４およびスイッチＳＷ４からなる入力回路、抵抗Ｒ５およびスイッチＳＷ５からなる入力回路、抵抗Ｒ６およびスイッチＳＷ６からなる入力回路、がキー入力受付回路２１を構成している。スイッチＳＷ１〜ＳＷ６は夫々、電源オン／オフ、チャンネルアップ、チャンネルダウン、入力ソース切換、音量アップ、音量ダウン等のキーに対応しており、ユーザが任意に選択したキーを操作（押圧）したときに、当該操作されるキーに対応するスイッチがその入力回路内の接点間を導通させる。
【００１７】
例えば、スイッチＳＷ１に対応するキーが操作されると、スイッチＳＷの両端にある接点間が導通し、スイッチＳＷ１にかかる入力回路に電流が流れる。このとき、キー入力受付回路２１の出力側（２１ａ）には、上記共通の電源Ｖｃｃの電圧（＋７Ｖ）から抵抗Ｒ１に応じて降下した後の電圧値が発生する。つまり、キー入力受付回路２１の出力側（２１ａ）には、いずれかの入力回路がユーザからのキー入力を受けたとき、キー入力を受けた入力回路の抵抗Ｒ１〜Ｒ６に応じて異なる電圧値が発生する。このように発生する電圧値はいずれも、本実施形態では＋７Ｖより低く＋３．３Ｖより高い程度の所定範囲（第１の電圧範囲）に設定している。従って、いずれかの入力回路がユーザからのキー入力を受けたとき、電圧値が第１の電圧範囲内である入力信号がコネクタ２２ａから出力され、ケーブル２４およびコネクタ２３ａを介して第２基板２３へ入力される。
【００１８】
第２基板２３には、メインＩＣ１１の他、上記キー入力に基づく入力信号を抽出するための第１抽出回路２３ｂと、赤外線信号に基づく入力信号を抽出するための第２抽出回路２３ｃとが搭載されている。第１抽出回路２３ｂは、コネクタ２３ａとメインＩＣ１１の入力端子１１ａとを結ぶ信号線２３ｄ（第２信号線）上に設けられ、第２抽出回路２３ｃは、コネクタ２３ａとメインＩＣ１１の入力端子１１ｂとを結ぶ信号線２３ｅ（第３信号線）上に設けられている。第２抽出回路２３ｃは、カソードをコネクタ２３ａ側に接続しアノードをメインＩＣ１１側へ接続したダイオードＤ３であって、少なくとも第１の電圧範囲の上限値以下の電圧の流入を禁止するダイオードＤ３を有している。従って、上記キー入力受付回路２１から出力されたキー入力に基づく入力信号が第２抽出回路２３ｃへ流入することは無い。
【００１９】
一方、第１抽出回路２３ｂは、カソードをコネクタ２３ａ側に接続しアノードをメインＩＣ１１へ接続したツェナーダイオードＺ２であって、入力した信号を対象として、ツェナー電圧（本実施形態では＋３．３Ｖ）に相当する電圧分をカットするツェナーダイオードＺ２を有している。従って、上記キー入力受付回路２１から出力されたキー入力に基づく入力信号（ツェナー電圧より高い電圧値の入力信号）がケーブル２４およびコネクタ２３ａを通って第２基板２３へ入力したときは、第１の電圧範囲の下限未満の電圧（＋３．３Ｖ）がカットされた（引かれた）後の電圧値による信号が、ツェナーダイオードＺ２のアノード側に発生する。この信号は、さらに、上記キー入力を受けた入力回路が有する抵抗（抵抗Ｒ１〜Ｒ６のいずれか一つ）と抵抗Ｒ０との分圧比に応じて分圧され、かつ抵抗Ｒ１２を介して第１抽出回路２３ｂから出力され、メインＩＣ１１の入力端子１１ａへ上記キー入力に基づく入力信号として入力される。
【００２０】
メインＩＣ１１では、上記キー入力に基づく入力信号が入力された場合、その電圧値と、上記キー入力に基づく入力信号と比較するために予め規定されている複数のしきい値とを比較することにより、そのとき入力した入力信号が、どのような操作（電源オン／オフ、チャンネルアップ、チャンネルダウン、入力ソース切換、音量アップ、音量ダウン等）を示す信号に該当するか判定し、判定結果に従って電子機器１０の各構成を制御する。
【００２１】
赤外線受信回路１９は、上記共通の電源Ｖｃｃとコネクタ２２ａとの間において、キー入力受付回路２１と並列接続されている。赤外線受信回路１９は、赤外線センサ（ＩＲセンサ）１９ａ、スイッチ素子としてのトランジスタＱ１（第１トランジスタ）、トランジスタＱ２（第２トランジスタ）等を備える。ＩＲセンサ１９ａは、上記共通の電源Ｖｃｃと抵抗Ｒ７を介して接続することにより、キー入力受付回路２１へ供給される電源電圧よりも低い電源電圧の供給をＶｃｃ端子にて受けて稼働する。具体的には、抵抗Ｒ７を通過する電源電圧が、抵抗Ｒ７‐Ｖｃｃ端子間のラインに対してカソードを接続させアノードを接地させたツェナーダイオードＺ１の作用により定電圧（＋３．３Ｖの定電圧）となり、当該Ｖｃｃ端子に供給される。ＩＲセンサ１９ａは、その他、グラウンド（ＧＮＤ）端子や、出力（Ｖｏｕｔ）端子を備え、受信した赤外線信号を光電変換してパルス信号を生成し、当該パルス信号をＶｏｕｔ端子から出力する。
【００２２】
トランジスタＱ１は、Ｖｏｕｔ端子からの出力信号ラインへ、抵抗Ｒ８を介してベースを接続させ、エミッタを接地させ、コレクタを抵抗Ｒ９を介して抵抗Ｒ７の出力側に接続させたＮＰＮ型トランジスタである。トランジスタＱ２は、トランジスタＱ１のコレクタ（トランジスタＱ１のコレクタ‐抵抗Ｒ９間）にベースを接続させ、エミッタを接地させ、コレクタをダイオードＤ２のカソードに接続させたＮＰＮ型トランジスタである。さらに、ダイオードＤ２のアノードと、抵抗Ｒ７と抵抗Ｒ９との接続点との間には、抵抗Ｒ１０が介在している。ダイオードＤ２のカソードとトランジスタＱ２のコレクタとの接続点（赤外線受信回路１９の出力側（１９ｂ））は、上記キー入力受付回路２１の出力側（２１ａ）と合流した上でコネクタ２２ａに接続している。ダイオードＤ２は、キー入力受付回路２１から出力された信号が赤外線受信回路１９内へ流入すること防止する。
【００２３】
このような赤外線受信回路１９において、リモコン１８の無操作時は、ＩＲセンサ１９ａは所定のＨレベル信号をＶｏｕｔ端子から出力し続ける。これにより、トランジスタＱ１はベースが所定の高電位に保たれてオン状態（コレクタ‐エミッタ間導通）を維持し、且つ、トランジスタＱ１のオン状態に伴ってトランジスタＱ２のベースが所定の低電位となりオフ状態（コレクタ‐エミッタ間非導通）を維持する。このような無操作時は、赤外線受信回路１９は出力側（１９ｂ）に電圧（信号）発生させるが、抵抗Ｒ７，Ｒ９，Ｒ１０の作用により第１の電圧範囲の下限より確実に低い値（＋３Ｖ以下）の信号となっている。そのため、このように赤外線受信回路１９が出力する信号がケーブル２４を通って第２基板２３側に入力しても、ツェナーダイオードＺ２、ダイオードＤ３それぞれによってそれ以降への流入が禁止され、当該信号がメインＩＣ１１側へ入力されることは無い。
【００２４】
リモコン１８の操作時は、ＩＲセンサ１９ａは、受信した赤外線信号に基づくパルス信号をＶｏｕｔ端子から出力する。トランジスタＱ１は、ベースに入力する当該パルス信号のＨレベルとＬレベルとの切り換えに従ってオンとオフとを切り換えるスイッチングを行なう。トランジスタＱ２は、トランジスタＱ１のスイッチングに伴ってベース電位がＬレベルとＨレベルとで切り換わることで、トランジスタＱ１のスイッチングと逆位相でオンとオフとを切り換えるスイッチングを行なう。
【００２５】
第２抽出回路２３ｃは、ダイオードＤ３のアノードにベースを抵抗Ｒ１３を介して接続させ、電源回路２０（図１）から第２基板２３に供給された所定レベル（本実施形態では＋３．３Ｖ）の第２電源Ｖｃｃにコレクタを接続させ、エミッタを抵抗Ｒ１５を介して接地させたＮＰＮ型のトランジスタＱ３を備える。また、ダイオードＤ３のアノードと抵抗Ｒ１３との接続点は、抵抗Ｒ１４を介して第２電源Ｖｃｃに接続しているため、トランジスタＱ３のベースは、第２電源Ｖｃｃによりプルアップされる。かかる構成においては、赤外線受信回路１９のトランジスタＱ２のオン状態に同期して、第２抽出回路２３ｃ側から、信号線２３ｅ、コネクタ２３ａ、ケーブル２４、コネクタ２２ａを介して電流がトランジスタＱ２へ流れ、トランジスタＱ３はベースが所定の低電位となりオフ状態となる。つまり、第２抽出回路２３ｃからケーブル２４を介して第１基板２２側へ電気信号が送信される。このとき送信される信号の電圧が取り得る範囲は、抵抗Ｒ１４の作用により＋３Ｖ以下となっている。これは、第１の電圧範囲と重複せず且つ第１の電圧範囲より低い電圧範囲（第２の電圧範囲）内の信号である。このように第２抽出回路２３ｃが送信する信号は信号線２３ｄにも流入し得るが、第１の電圧範囲の下限より低い電圧であるため、確実にツェナーダイオードＺ２によって第１抽出回路２３ｂへの流入が禁止される。
【００２６】
一方、トランジスタＱ２がオフ状態になると、トランジスタＱ３のベースが第２電源ＶｃｃによりプルアップされることでトランジスタＱ３はオン状態となる（第２抽出回路２３ｃから第１基板２２側への信号の送信は無し）。つまり、第２抽出回路２３ｃは、第２の電圧範囲内の信号をケーブル２４を介して第１基板２２へ送信する時期と非送信の時期とをトランジスタＱ２のオン・オフに同期して切り換えることにより、トランジスタＱ３において、トランジスタＱ２のスイッチングと逆位相でオンとオフとを切り換えるスイッチングを行なう。この結果、トランジスタＱ３のエミッタ側には、上記ＩＲセンサ１９ａからトランジスタＱ１へ出力されるパルス信号に相当する波形の信号（パルス信号）が発生し、この信号が抵抗Ｒ１６を介して第２抽出回路２３ｃから出力され、メインＩＣ１１の入力端子１１ｂへ上記赤外線信号に基づく入力信号として入力される。メインＩＣ１１では、この赤外線信号に基づく入力信号に従って電子機器１０の各構成を制御する。
【００２７】
なお、赤外線受信回路１９における、トランジスタＱ１，Ｑ２を含む構成は、第１基板側スイッチ回路に該当し、第２抽出回路２３ｃにおける、トランジスタＱ３を含む構成は、第２基板側スイッチ回路に該当する。
【００２８】
このように本実施形態によれば、キー入力受付回路２１と赤外線受信回路１９とを第１基板２２に搭載し、メインＩＣ１１を第２基板２３に搭載し、キー入力受付回路２１は、キー入力を受けたとき、電圧値が第１の電圧範囲内である信号を第１基板２２と第２基板２３とを結ぶ一本のケーブル２４を介して第２基板２３へ出力することによりメインＩＣ１１にキー入力に基づく入力信号を供給し、赤外線受信回路１９は、ＩＲセンサ１９ａにより赤外線信号を受信したときに、電圧値が、第１の電圧範囲と重複せず第１の電圧範囲より低い第２の電圧範囲内である信号を上記一本のケーブル２４を介して第２基板２３との間で通信（受信）することにより、メインＩＣ１１に赤外線信号に基づく入力信号を取得させるとした。
【００２９】
つまり、ＩＲ・ＫＥＹ基板からメイン基板側に搭載されたメインＩＣ１１へキー入力に基づく入力を伝えるための信号の電圧範囲と、ＩＲ・ＫＥＹ基板からメイン基板側に搭載されたメインＩＣへ赤外線信号に基づく入力を取得させるために通信する信号の電圧範囲とを異ならせることで、これら２種類の通信に共通の信号線を用いることが可能となり、その結果、上記両基板を接続するケーブルを一本にすることができる。従来は、これら２種類の通信が混線しないように夫々の通信のための各ケーブルでＩＲ・ＫＥＹ基板とメイン基板とを繋いでいたが、本実施形態によってケーブルの本数が削減され、電子機器１０の製造にかかるコストを低下させることが可能となった。
【００３０】
また従来は、キー入力受付回路２１および赤外線受信回路１９に対しては、これらを駆動するための電源として、電源回路２０から一つの電源供給ラインを介して＋３．３Ｖ程度の電源電圧を供給し、また、発光ダイオードＤ１に対しては、これを駆動するための電源として、電源回路２０から別の電源供給ラインを介して＋５Ｖ程度の電源電圧を供給していた。しかしながら、本実施形態のように上記２種類の通信に共通の信号線（ケーブル２４）を使用する構成を実現するために、上記２種類の通信に用いる電圧範囲を異ならせる必要が生じ、そのため、高い方の電圧範囲である第１の電圧範囲を満足する＋７Ｖという高い電源をキー入力受付回路２１および赤外線受信回路１９に対して供給するようにした。こうした結果、このような電源は、発光ダイオードＤ１の駆動電圧としても十分であるため、従来のようにわざわざ発光ダイオードＤ１に電源供給するためのラインを別途設ける必要が無くなり、キー入力受付回路２１、赤外線受信回路１９および発光ダイオードＤ１に対して上記共通の電源Ｖｃｃから電源電圧の供給をできるようになった。つまり従来と比較して、電源回路２０からの電源供給ラインの数も一本削減することが可能となり、電子機器１０の製造にかかるコストをより低下させることができる。
【符号の説明】
【００３１】
１０…電子機器、１１…メインＩＣ、１１ａ，１１ｂ…入力端子、１１ｃ…出力端子、１８…リモコン、１９…赤外線受信回路、１９ａ…ＩＲセンサ、２０…電源回路、２１…キー入力受付回路、２２…第１基板、２２ａ，２３ａ…コネクタ、２２ｂ…ＬＥＤ制御部、２３…第２基板、２３ｂ…第１抽出回路、２３ｃ…第２抽出回路、２３ｄ，２３ｅ…信号線、２４…ケーブル
【図１】
2012238995.tif 000003
【図２】
2012238995.tif 000004